(57)【要約】  減衰量の低下を抑制する。弾性波フィルタ装置（１）は、基板、第１音響インピーダンス層（４Ａ）、第２音響インピーダンス層（４Ｂ）、圧電体層（５）、第１ＩＤＴ電極（７Ａ）、第２ＩＤＴ電極（７Ｂ）、入力端子（１５）、出力端子（１６）、複数のグラウンド端子（１７、１８）、直列腕回路（１２）、及び並列腕回路（１３、１４）を備える。第１ＩＤＴ電極（７Ａ）は、平面視において、第１音響インピーダンス層（４Ａ）と少なくとも一部重複する。第２ＩＤＴ電極（７Ｂ）は、平面視において、第２音響インピーダンス層（４Ｂ）と少なくとも一部重複する。直列腕回路（１２）は、入力端子（１５）と出力端子（１６）とを結ぶ第１経路上に設けられ、第１ＩＤＴ電極（７Ａ）及び第２ＩＤＴ電極（７Ｂ）を有する。第１音響インピーダンス層（４Ａ）における導電層と、第２音響インピーダンス層（４Ｂ）における導電層とが、電気的に絶縁されている。
2019065667.tif 000002
【特許請求の範囲】
【請求項１】
基板と、
前記基板上に形成された第１音響インピーダンス層及び第２音響インピーダンス層と、
前記第１音響インピーダンス層及び前記第２音響インピーダンス層上に形成された圧電体層と、
前記圧電体層上に形成され、前記圧電体層の厚さ方向からの平面視において、前記第１音響インピーダンス層と少なくとも一部重複する第１ＩＤＴ電極と、
前記圧電体層上に形成され、前記厚さ方向からの平面視において、前記第２音響インピーダンス層と少なくとも一部重複する第２ＩＤＴ電極と、
前記圧電体層上に形成された入力端子と、
前記圧電体層上に形成された出力端子と、
前記圧電体層上に形成されたグラウンド端子と、
前記入力端子と前記出力端子とを結ぶ第１経路上に設けられ、前記第１ＩＤＴ電極及び前記第２ＩＤＴ電極を有する直列腕回路と、
前記第１経路上のノードと前記グラウンド端子とを結ぶ第２経路上に設けられた並列腕回路と、を備え、
前記第１音響インピーダンス層及び前記第２音響インピーダンス層の各々は、
少なくとも１つの高音響インピーダンス層と、
前記少なくとも１つの高音響インピーダンス層よりも音響インピーダンスが低い少なくとも１つの低音響インピーダンス層と、を有し、
前記第１音響インピーダンス層及び前記第２音響インピーダンス層の各々について、前記高音響インピーダンス層及び前記低音響インピーダンス層の少なくとも１つが導電層であり、
前記第１音響インピーダンス層における前記導電層と、前記第２音響インピーダンス層における前記導電層とが、電気的に絶縁されている、
弾性波フィルタ装置。
【請求項２】
前記少なくとも１つの高音響インピーダンス層は、複数の高音響インピーダンス層を含み、
前記少なくとも１つの低音響インピーダンス層は、複数の低音響インピーダンス層を含み、
前記複数の高音響インピーダンス層と前記複数の低音響インピーダンス層とが前記厚さ方向において一層ごとに交互に並んでいる、
請求項１に記載の弾性波フィルタ装置。
【請求項３】
前記並列腕回路は、前記圧電体層上に形成された複数の第３ＩＤＴ電極を有し、
前記第１ＩＤＴ電極、前記第２ＩＤＴ電極及び前記複数の第３ＩＤＴ電極の各々は、一対のバスバーを含み、
前記圧電体層上に形成され、前記第１ＩＤＴ電極と前記第２ＩＤＴ電極とのうち１つの前記一対のバスバーにおける前記入力端子側のバスバーに電気的に接続されている第１電極と、
前記圧電体層上に形成され、前記複数の第３ＩＤＴ電極のうち１つの第３ＩＤＴ電極の前記一対のバスバーにおける前記グラウンド端子側のバスバーに電気的に接続されている第２電極と、を更に備え、
前記基板と前記圧電体層との間において平面視で前記第１電極の少なくとも一部と前記第２電極の少なくとも一部とに重複する少なくとも１層の導電層を含む第３音響インピーダンス層を更に有する、
請求項１又は２に記載の弾性波フィルタ装置。
【請求項４】
前記第１ＩＤＴ電極、前記第２ＩＤＴ電極及び前記複数の第３ＩＤＴ電極の電極指ピッチにより定まる弾性波の波長をλとしたときに、前記圧電体層の厚さが、１λ以下である、
請求項３に記載の弾性波フィルタ装置。
【請求項５】
前記弾性波が板波である、
請求項４に記載の弾性波フィルタ装置。
【発明の詳細な説明】
【技術分野】
【０００１】
本発明は、一般に弾性波フィルタ装置に関し、より詳細には、圧電体層を備える弾性波フィルタ装置に関する。
【背景技術】
【０００２】
従来、共振子や帯域フィルタ（弾性波フィルタ装置）等に用いられる弾性波装置として、板波を用いた弾性波装置が知られている（例えば、特許文献１参照）。【０００３】
特許文献１に記載された弾性波装置は、支持基板と、音響反射層（音響インピーダンス層）と、圧電体層と、ＩＤＴ（Interdigital Transducer）電極と、を備えている。【０００４】
特許文献１に記載された弾性波装置の音響反射層は、低音響インピーダンス層と、低音響インピーダンス層よりも音響インピーダンスが高い高音響インピーダンス層と、を有している。【０００５】
特許文献１には、高音響インピーダンス層の音響インピーダンスと、低音響インピーダンス層の音響インピーダンスとの比である音響インピーダンス比を大きくすることにより、板波を効果的に反射することができ、良好なフィルタ特性を得ることができる旨が記載されている。また、特許文献１には、音響インピーダンス比が最大となる材料の組み合わせとして、Ｗ（タングステン）とＳｉＯ2（酸化ケイ素）との組み合わせが開示されている。
【先行技術文献】
【特許文献】
【０００６】
【特許文献１】国際公開第２０１２／０８６４４１号
【発明の概要】
【発明が解決しようとする課題】
【０００７】
しかしながら、音響反射層（音響インピーダンス層）を備える弾性波フィルタ装置では、音響反射層の材料としてＷ等の金属を採用した場合に、通過帯域外の減衰量が低下してしまうという問題があった。【０００８】
本発明の目的は、減衰量の低下を抑制することが可能な弾性波フィルタ装置を提供することにある。
【課題を解決するための手段】
【０００９】
本発明の一態様に係る弾性波フィルタ装置は、基板と、第１音響インピーダンス層及び第２音響インピーダンス層と、圧電体層と、第１ＩＤＴ電極と、第２ＩＤＴ電極と、入力端子と、出力端子と、グラウンド端子と、直列腕回路と、並列腕回路と、を備える。第１音響インピーダンス層及び第２音響インピーダンス層は、前記基板上に形成されている。前記圧電体層は、前記第１音響インピーダンス層及び前記第２音響インピーダンス層上に形成されている。前記第１ＩＤＴ電極は、前記圧電体層上に形成され、前記圧電体層の厚さ方向からの平面視において、前記第１音響インピーダンス層と少なくとも一部重複する。前記第２ＩＤＴ電極は、前記圧電体層上に形成され、前記厚さ方向からの平面視において、前記第２音響インピーダンス層と少なくとも一部重複する。前記入力端子は、前記圧電体層上に形成されている。前記出力端子は、前記圧電体層上に形成されている。前記グラウンド端子は、前記圧電体層上に形成されている。前記直列腕回路は、前記入力端子と前記出力端子とを結ぶ第１経路上に設けられ、前記第１ＩＤＴ電極及び前記第２ＩＤＴ電極を有する。前記並列腕回路は、前記第１経路上のノードと前記グラウンド端子とを結ぶ第２経路上に設けられている。前記第１音響インピーダンス層及び前記第２音響インピーダンス層の各々は、少なくとも１つの高音響インピーダンス層と、前記少なくとも１つの高音響インピーダンス層よりも音響インピーダンスが低い少なくとも１つの低音響インピーダンス層と、を有する。前記第１音響インピーダンス層及び前記第２音響インピーダンス層の各々について、前記少なくとも１つの高音響インピーダンス層及び前記少なくとも１つの低音響インピーダンス層の少なくとも１つが導電層である。前記第１音響インピーダンス層における前記導電層と、前記第２音響インピーダンス層における前記導電層とが、電気的に絶縁されている。
【発明の効果】
【００１０】
本発明の一態様に係る弾性波フィルタ装置では、減衰量の低下を抑制することが可能となる。
【図面の簡単な説明】
【００１１】
【図１】図１は、本発明の実施形態１に係る弾性波フィルタ装置の平面図である。
【図２】図２は、同上の弾性波フィルタ装置に関し、図１のＡ−Ａ線断面図である。
【図３】図３Ａは、同上の弾性波フィルタ装置における第１ＩＤＴ電極（又は第２ＩＤＴ電極）の平面図である。図３Ｂは、同上の弾性波フィルタ装置における第３ＩＤＴ電極の平面図である。
【図４】図４は、同上の弾性波フィルタ装置の回路図である。
【図５】図５は、比較例の弾性波フィルタ装置の要部断面図である。
【図６】図６は、本発明の実施形態２に係る弾性波フィルタ装置の一部破断した平面図である。
【図７】図７は、同上の弾性波フィルタ装置に関し、図６のＸ１−Ｘ１線断面図である。
【図８】図８Ａは、同上の弾性波フィルタ装置における第１ＩＤＴ電極（又は第２ＩＤＴ電極）及び各反射器の平面図である。図８Ｂは、同上の弾性波フィルタ装置における第３ＩＤＴ電極及び各反射器の平面図である。
【図９】図９は、同上の弾性波フィルタ装置の回路図である。
【発明を実施するための形態】
【００１２】
以下、実施形態に係る弾性波フィルタ装置について、図面を参照して説明する。
【００１３】
以下の実施形態等において参照する図１、２、３Ａ、３Ｂ、５、６、７、８Ａ及び８Ｂは、いずれも模式的な図であり、図中の各構成要素の大きさや厚さそれぞれの比が、必ずしも実際の寸法比を反映しているとは限らない。
【００１４】
（実施形態１）
（１）弾性波フィルタ装置の全体構成
以下、実施形態に係る弾性波フィルタ装置１について、図面を参照して説明する。
【００１５】
実施形態１に係る弾性波フィルタ装置１は、ラダー型フィルタである。弾性波フィルタ装置１は、図１及び４に示すように、入力端子１５と、出力端子１６と、複数（２つ）のグラウンド端子１７、１８と、直列腕回路１２と、複数の並列腕回路１３、１４と、を備えている。直列腕回路１２は、入力端子１５と出力端子１６とを結ぶ第１経路上に設けられている。２つの並列腕回路１３、１４は、第１経路上のノードと２つのグラウンド端子１７、１８とを一対一に結ぶ２つの第２経路上のそれぞれ設けられている。直列腕回路１２は、複数（３つ）の直列腕共振子Ｓ１を有する。２つの並列腕回路１３、１４の各々は、並列腕共振子Ｐ１を有する。
【００１６】
弾性波フィルタ装置１では、複数の直列腕共振子Ｓ１は、互いに直列に接続されている。以下では、説明の便宜上、３つの直列腕共振子Ｓ１を、入力端子１５に近い順に、直列腕共振子Ｓ１１、直列腕共振子Ｓ１２、直列腕共振子Ｓ１３と称することもある。また、２つの並列腕共振子Ｐ１を、入力端子１５に近い順に、並列腕共振子Ｐ１１、並列腕共振子Ｐ１２と称する。並列腕共振子Ｐ１１の一端は、２つの直列腕共振子Ｓ１１、Ｓ１２の接続点（第１経路上のノード）に接続されている。並列腕共振子Ｐ１１の他端は、グラウンド端子１７に接続されている。並列腕共振子Ｐ１２の一端は、２つの直列腕共振子Ｓ１２、Ｓ１３の接続点（第１経路上のノード）に接続されている。並列腕共振子Ｐ１２の他端は、グラウンド端子１８に接続されている。
【００１７】
弾性波フィルタ装置１は、具体的には、図１及び２に示すように、基板２と、第１音響インピーダンス層４Ａ及び第２音響インピーダンス層４Ｂと、圧電体層５と、入力端子１５と、出力端子１６と、複数（２つ）のグラウンド端子１７、１８と、第１ＩＤＴ電極７Ａ及び第２ＩＤＴ電極７Ｂと、複数（２つ）の第３ＩＤＴ電極８と、を備える。第１音響インピーダンス層４Ａ及び第２音響インピーダンス層４Ｂは、基板２上に形成されている。圧電体層５は、第１音響インピーダンス層４Ａ及び第２音響インピーダンス層４Ｂ上に形成されている。入力端子１５は、圧電体層５上に形成されている。出力端子１６は、圧電体層５上に形成されている。複数のグラウンド端子１７、１８は、圧電体層５上に形成されている。第１ＩＤＴ電極７Ａ及び第２ＩＤＴ電極７Ｂは、圧電体層５上に形成されている。第１ＩＤＴ電極７Ａ及び第２ＩＤＴ電極７Ｂは、入力端子１５と出力端子１６とを結ぶ第１経路上に設けられる複数の直列腕共振子Ｓ１用のＩＤＴ電極である。複数の第３ＩＤＴ電極８は、圧電体層５上に形成されている。複数の第３ＩＤＴ電極８は、第１経路上のノードと複数のグラウンド端子１７，１８とを結ぶ複数の第２経路にそれぞれ設けられる複数の並列腕共振子Ｐ１用のＩＤＴ電極である。
【００１８】
（２）弾性波フィルタ装置の各構成要素
次に、弾性波フィルタ装置１の各構成要素について、図面を参照して説明する。
【００１９】
（２．１）基板
基板２は、図２に示すように、第１音響インピーダンス層４Ａ、第２音響インピーダンス層４Ｂ、圧電体層５、第１ＩＤＴ電極７Ａ、第２ＩＤＴ電極７Ｂ及び複数の第３ＩＤＴ電極８を含む積層体を支持している。以下では、積層体のうち、第１音響インピーダンス層４Ａ及び第２音響インピーダンス層４Ｂを含み、基板２と圧電体層５との間に介在する層を、中間層３と称する。基板２は、その厚さ方向Ｄ１において互いに反対側にある第１主面２０１及び第２主面２０２を有する。第１主面２０１及び第２主面２０２は、互いに背向する。基板２の平面視形状（基板２を厚さ方向Ｄ１から見たときの外周形状）は、長方形状であるが、長方形状に限らず、例えば正方形状であってもよい。基板２は、例えばシリコン基板である。基板２の厚さは、例えば、１２０μｍである。
【００２０】
（２．２）第１音響インピーダンス層及び第２音響インピーダンス層
第１音響インピーダンス層４Ａ及び第２音響インピーダンス層４Ｂは、図２に示すように、基板２の第１主面２０１上に形成されている。第１音響インピーダンス層４Ａは、基板２の厚さ方向Ｄ１において第１ＩＤＴ電極７Ａに対向する。第２音響インピーダンス層４Ｂは、基板２の厚さ方向Ｄ１において第２ＩＤＴ電極７Ｂに対向する。また、複数の第３音響インピーダンス層４０は、基板２の厚さ方向Ｄ１において複数（２つ）の第３ＩＤＴ電極８に対向する。また、弾性波フィルタ装置１は、は、基板２上で第１音響インピーダンス層４Ａと第２音響インピーダンス層４Ｂとの間に介在している絶縁層３０を更に備える。絶縁層３０は、基板２上に形成されている。絶縁層３０は、上述の積層体に含まれている。第１音響インピーダンス層４Ａ、第２音響インピーダンス層４Ｂ、複数の第３音響インピーダンス層４０及び絶縁層３０は、基板２と圧電体層５との間に介在している。弾性波フィルタ装置１では、直列腕共振子Ｓ１１及び１３は、第１ＩＤＴ電極７Ａと、当該第１ＩＤＴ電極７Ａに対向する第１音響インピーダンス層４Ａと、圧電体層５のうち第１ＩＤＴ電極７Ａと第１音響インピーダンス層４Ａとの間にある部分と、を含む。また、直列腕共振子Ｓ１２は、第２ＩＤＴ電極７Ｂと、当該第２ＩＤＴ電極７Ｂに対向する第２音響インピーダンス層４Ｂと、圧電体層５のうち第２ＩＤＴ電極７Ｂと第２音響インピーダンス層４Ｂとの間にある部分と、を含む。並列腕共振子Ｐ１１及びＰ１２は、第３ＩＤＴ電極８と、当該第３ＩＤＴ電極８に対向する第３音響インピーダンス層４０と、圧電体層５のうち第３ＩＤＴ電極８と第３音響インピーダンス層４０との間にある部分と、を含む。
【００２１】
第１音響インピーダンス層４Ａは、第１ＩＤＴ電極７Ａで励振された弾性波が基板２に漏洩するのを抑制する機能を有する。第２音響インピーダンス層４Ｂは、第２ＩＤＴ電極７Ｂで励振された弾性波が基板２に漏洩するのを抑制する機能を有する。第１音響インピーダンス層４Ａ及び第２音響インピーダンス層４Ｂの各々は、複数（３つ）の低音響インピーダンス層４２と複数（２つ）の高音響インピーダンス層４１とが厚さ方向Ｄ１において一層ごとに交互に並んだ積層構造を有する。低音響インピーダンス層４２の音響インピーダンスは、高音響インピーダンス層４１の音響インピーダンスよりも低い。
【００２２】
以下では、説明の便宜上、第１音響インピーダンス層４Ａ及び第２音響インピーダンス層４Ｂの各々において、２つの高音響インピーダンス層４１を、基板２の第１主面２０１に近い順に、高音響インピーダンス層４１１、高音響インピーダンス層４１２と称することもある。また、３つの低音響インピーダンス層４２を、基板２の第１主面２０１に近い順に、低音響インピーダンス層４２０、低音響インピーダンス層４２１、低音響インピーダンス層４２２と称することもある。
【００２３】
第１音響インピーダンス層４Ａ及び第２音響インピーダンス層４Ｂの各々では、基板２側から、低音響インピーダンス層４２０、高音響インピーダンス層４１１、低音響インピーダンス層４２１、高音響インピーダンス層４１２及び低音響インピーダンス層４２２が、この順に並んでいる。したがって、第１音響インピーダンス層４Ａ及び第２音響インピーダンス層４Ｂの各々は、低音響インピーダンス層４２２と高音響インピーダンス層４１２との界面、低音響インピーダンス層４２１と高音響インピーダンス層４１１との界面、高音響インピーダンス層４１１と低音響インピーダンス層４２０との界面のそれぞれにおいて、圧電体層５からの弾性波（板波）を反射することが可能である。
【００２４】
第１音響インピーダンス層４Ａ及び第２音響インピーダンス層４Ｂの各々において、複数の高音響インピーダンス層４１の材料は、例えば、Ｐｔ（白金）である。また、第１音響インピーダンス層４Ａ及び第２音響インピーダンス層４Ｂの各々において、複数の低音響インピーダンス層４２の材料は、例えば、ＳｉＯ2（酸化ケイ素）である。第１音響インピーダンス層４Ａ及び第２音響インピーダンス層４Ｂの各々は、複数の高音響インピーダンス層４１の各々がＰｔにより形成されているので、２層の導電層を含んでいる。
【００２５】
複数の第３音響インピーダンス層４０は、第３ＩＤＴ電極８で励振された弾性波が基板２に漏洩するのを抑制する機能を有する。複数の第３音響インピーダンス層４０の各々は、第１音響インピーダンス層４Ａ及び第２音響インピーダンス層４Ｂと同一の積層構造を有する。
【００２６】
絶縁層３０は、第１音響インピーダンス層４Ａ、第２音響インピーダンス層４Ｂ及び複数の第３音響インピーダンス層４０とは異なる位置で基板２と圧電体層５との間に介在している。本実施形態では、絶縁層３０は、基板２と圧電体層５との間に介在する中間層３において第１音響インピーダンス層４Ａ、第２音響インピーダンス層４Ｂ及び複数の第３音響インピーダンス層４０以外の領域である。絶縁層３０は、低音響インピーダンス層４２と同じ材料により形成されている。絶縁層３０は、電気絶縁性を有する。
【００２７】
（２．３）圧電体層
圧電体層５は、例えば、ＬｉＮｂＯ3圧電単結晶からなる。
【００２８】
圧電体層５の厚さは、第１ＩＤＴ電極７Ａ並びに第２ＩＤＴ電極７Ｂの電極指ピッチである２×Ｔ１（Ｔ１については図３Ａ参照）及び第３ＩＤＴ電極８の電極指ピッチである２×Ｔ２１（Ｔ２１については図３Ｂ参照）により定まる弾性波の波長をλとしたときに、１λ以下である。これにより、弾性波フィルタ装置１では、第１ＩＤＴ電極７Ａ、第２ＩＤＴ電極７Ｂ及び第３ＩＤＴ電極８それぞれによって板波が励振され、板波が伝搬する。電極指ピッチである２×Ｔ１、２×Ｔ２１については、後述の「（２．４）第１ＩＤＴ電極、第２ＩＤＴ電極及び第３ＩＤＴ電極」の欄で説明する。本実施形態の弾性波フィルタ装置１では、例えば、弾性波の波長が１．７μｍであり、圧電体層５の厚さが３４０ｎｍである。
【００２９】
（２．４）第１ＩＤＴ電極、第２ＩＤＴ電極及び第３ＩＤＴ電極
第１ＩＤＴ７Ａ、第２ＩＤＴ電極７Ｂ及び複数の第３ＩＤＴ電極８は、圧電体層５上に形成されている。より詳細には、第１ＩＤＴ７Ａ、第２ＩＤＴ電極７Ｂ及び複数の第３ＩＤＴ電極８は、圧電体層５の中間層３側とは反対の表面上に形成されている。第１ＩＤＴ７Ａ、第２ＩＤＴ電極７Ｂ及び複数の第３ＩＤＴ電極８は、導電性を有する。第１ＩＤＴ７Ａ、第２ＩＤＴ電極７Ｂ及び複数の第３ＩＤＴ電極８の材料は、例えば、Ａｌである。第１ＩＤＴ７Ａ、第２ＩＤＴ電極７Ｂ及び複数の第３ＩＤＴ電極８の厚さは、例えば、８５ｎｍである。
【００３０】
第１ＩＤＴ電極７Ａ及び第２ＩＤＴ電極７Ｂの各々は、図３Ａに示すように、一対のバスバー７１、７２（以下、第１バスバー７１及び第２バスバー７２ともいう）と、複数の電極指７３（以下、第１電極指７３ともいう）と、複数の電極指７４（以下、第２電極指７４ともいう）と、を含む。図３Ａでは、第１ＩＤＴ電極７Ａ（又は第２ＩＤＴ電極７Ｂ）にドットのハッチングを付してあるが、このハッチングは、断面を表すものではなく、第１ＩＤＴ電極７Ａ（又は第２ＩＤＴ電極７Ｂ）と第１音響インピーダンス層４Ａ（又は第２音響インピーダンス層４Ｂ）との関係を分かりやすくするために付してあるにすぎない。
【００３１】
第１バスバー７１及び第２バスバー７２は、基板２の厚さ方向Ｄ１に直交する一方向を長手方向とする長尺状である。第１ＩＤＴ電極７Ａ及び第２ＩＤＴ電極７Ｂの各々では、第１バスバー７１と第２バスバー７２とは、基板２の厚さ方向Ｄ１と上記一方向との両方に直交する方向において対向し合っている。
【００３２】
複数の第１電極指７３は、第１バスバー７１に接続され第２バスバー７２に向かって延びている。ここにおいて、複数の第１電極指７３は、第１バスバー７１から第１バスバー７１の長手方向に直交する方向に沿って延びている。複数の第１電極指７３の先端と第２バスバー７２とは離れている。複数の第１電極指７３は、互いの長さ及び幅が同じである。
【００３３】
複数の第２電極指７４は、第２バスバー７２に接続され第１バスバー７１に向かって延びている。ここにおいて、複数の第２電極指７４は、第２バスバー７２から第２バスバー７２の長手方向に直交する方向に沿って延びている。複数の第２電極指７４のそれぞれの先端は、第１バスバー７１とは離れている。複数の第２電極指７４は、互いの長さ及び幅が同じである。複数の第２電極指７４の長さ及び幅は、複数の第１電極指７３の長さ及び幅それぞれと同じである。
【００３４】
第１ＩＤＴ電極７Ａ及び第２ＩＤＴ電極７Ｂの各々では、複数の第１電極指７３と複数の第２電極指７４とが、第１バスバー７１と第２バスバー７２との対向方向に直交する方向において、１本ずつ交互に互いに離隔して並んでいる。したがって、第１バスバー７１の長手方向において隣り合う第１電極指７３と第２電極指７４とは離れている。第１ＩＤＴ電極７Ａ及び第２ＩＤＴ電極７Ｂの各々の電極指ピッチ（２×Ｔ１）は、図３Ａに示すように、隣り合う第１電極指７３と第２電極指７４との互いに対応する辺（図３Ａでは第１電極指７３及び第２電極指７４それぞれにおいて中心線に平行な左側の辺）間の距離Ｔ１の２倍の値である。電極指幅Ｔ２（図３Ａ参照）を距離Ｔ１で除した値（デューティ比）は、０．５である。電極指幅Ｔ２は、第１電極指７３及び第２電極指７４の幅である。
【００３５】
第１ＩＤＴ電極７Ａ及び第２ＩＤＴ電極７Ｂの各々は、図３Ａに一点鎖線で示す規定領域１０において、弾性波（板波）を励振する。規定領域１０は、複数の第１電極指７３と複数の第２電極指７４とが第１バスバー７１の長手方向に沿った方向において重なる領域である。
【００３６】
第３ＩＤＴ電極８は、図３Ｂに示すように、一対のバスバー８１、８２（以下、第１バスバー８１及び第２バスバー８２ともいう）と、複数の電極指８３（以下、第１電極指８３ともいう）と、複数の電極指８４（以下、第２電極指８４ともいう）と、を含む。図３Ｂでは、第３ＩＤＴ電極８にドットのハッチングを付してあるが、このハッチングは、断面を表すものではなく、第３ＩＤＴ電極８と第３音響インピーダンス層４０との関係を分かりやすくするために付してあるにすぎない。
【００３７】
第１バスバー８１及び第２バスバー８２は、基板２の厚さ方向Ｄ１に直交する一方向を長手方向とする長尺状である。第３ＩＤＴ電極８の各々では、第１バスバー８１と第２バスバー８２とは、基板２の厚さ方向Ｄ１と上記一方向との両方に直交する方向において対向し合っている。
【００３８】
複数の第１電極指８３は、第１バスバー８１に接続され第２バスバー８２に向かって延びている。ここにおいて、複数の第１電極指８３は、第１バスバー８１から第１バスバー８１の長手方向に直交する方向に沿って延びている。複数の第１電極指８３の先端と第２バスバー８２とは離れている。複数の第１電極指８３は、互いの長さ及び幅が同じである。
【００３９】
複数の第２電極指８４は、第２バスバー８２に接続され第１バスバー８１に向かって延びている。ここにおいて、複数の第２電極指８４は、第２バスバー８２から第２バスバー８２の長手方向に直交する方向に沿って延びている。複数の第２電極指８４のそれぞれの先端は、第１バスバー８１とは離れている。複数の第２電極指８４は、互いの長さ及び幅が同じである。複数の第２電極指８４の長さ及び幅は、複数の第１電極指８３の長さ及び幅それぞれと同じである。
【００４０】
第３ＩＤＴ電極８では、複数の第１電極指８３と複数の第２電極指８４とが、第１バスバー８１と第２バスバー８２との対向方向に直交する方向において、１本ずつ交互に互いに離隔して並んでいる。したがって、第１バスバー８１の長手方向において隣り合う第１電極指８３と第２電極指８４とは離れている。第３ＩＤＴ電極８の電極指ピッチである２×Ｔ２１は、図３Ｂに示すように、隣り合う第１電極指８３と第２電極指８４との互いに対応する辺（図３Ｂでは第１電極指８３及び第２電極指８４それぞれにおいて中心線に平行な左側の辺）間の距離Ｔ２１の２倍の値である。電極指幅Ｔ２２（図３Ｂ参照）を距離Ｔ２１で除した値（デューティ比）は、０．５である。電極指幅Ｔ２２は、第１電極指８３及び第２電極指８４の幅である。
【００４１】
第３ＩＤＴ電極８は、図３Ｂに一点鎖線で示す規定領域１１において、弾性波（板波）を励振する。規定領域１１は、複数の第１電極指８３と複数の第２電極指８４とが第１バスバー８１の長手方向に沿った方向において重なる領域である。
【００４２】
第１ＩＤＴ電極７Ａ及び第２ＩＤＴ電極７Ｂの電極指ピッチである２×Ｔ１と第３ＩＤＴ電極８の電極指ピッチである２×Ｔ２１とは、同じ値である。
【００４３】
（３）レイアウト
実施形態１に係る弾性波フィルタ装置１では、入力端子１５、出力端子１６、複数のグラウンド端子１７、１８、第１ＩＤＴ電極７Ａ、第２ＩＤＴ電極７Ｂ及び複数の第３ＩＤＴ電極８は、圧電体層５上において互いに離れている。
【００４４】
実施形態１に係る弾性波フィルタ装置１では、基板２の厚さ方向Ｄ１において第１音響インピーダンス層４Ａに対向する第１ＩＤＴ電極７Ａが、厚さ方向Ｄ１において第１音響インピーダンス層４Ａの高音響インピーダンス層４１（導電層）に重なっている。また、弾性波フィルタ装置１では、第１ＩＤＴ電極７Ａの全域が、当該第１ＩＤＴ電極７Ａに対向する導電層に重なっている。また、実施形態１に係る弾性波フィルタ装置１では、基板２の厚さ方向Ｄ１において第２音響インピーダンス層４Ｂに対向する第２ＩＤＴ電極７Ｂが、厚さ方向Ｄ１において第２音響インピーダンス層４Ｂの高音響インピーダンス層４１（導電層）に重なっている。また、弾性波フィルタ装置１では、第２ＩＤＴ電極７Ｂの全域が、当該第２ＩＤＴ電極７Ｂに対向する導電層に重なっている。第１音響インピーダンス層４Ａ及び第２音響インピーダンス層４Ｂは、互いに離れて配置されている。また、複数（２つ）の第１音響インピーダンス層４Ａは、互いに離れて配置されている。
【００４５】
また、実施形態１に係る弾性波フィルタ装置１では、基板２の厚さ方向Ｄ１において第３音響インピーダンス層４０に対向する第３ＩＤＴ電極８が、厚さ方向Ｄ１において第３音響インピーダンス層４０の高音響インピーダンス層４１（導電層）に重なっている。また、弾性波フィルタ装置１では、第３ＩＤＴ電極８の全域が、当該第３ＩＤＴ電極８に対向する導電層に重なっている。複数の第３音響インピーダンス層４０は、互いに離れて配置されている。
【００４６】
実施形態１に係る弾性波フィルタ装置１では、中間層３において、第１音響インピーダンス層４Ａ、第２音響インピーダンス層４Ｂ及び複数の第３音響インピーダンス層４０以外が絶縁層３０となっている。したがって、実施形態１に係る弾性波フィルタ装置１では、第１音響インピーダンス層４Ａ及び第２音響インピーダンス層４Ｂの各々における２層の導電層（高音響インピーダンス層４１１、４１２）のうち基板２から離れている導電層（高音響インピーダンス層４１２）どうしの間に、絶縁層３０の一部が介在している。
【００４７】
（４）効果
実施形態１に係る弾性波フィルタ装置１は、基板２と、第１音響インピーダンス層４Ａ及び第２音響インピーダンス層４Ｂと、圧電体層５と、第１ＩＤＴ電極７Ａと、第２ＩＤＴ電極７Ｂと、入力端子１５と、出力端子１６と、グラウンド端子１７、１８と、直列腕回路１２と、並列腕回路１３、１４と、を備える。第１音響インピーダンス層４Ａ及び第２音響インピーダンス層４Ｂは、基板２上に形成されている。圧電体層５は、第１音響インピーダンス層４Ａ及び第２音響インピーダンス層４Ｂ上に形成されている。第１ＩＤＴ電極７Ａは、圧電体層５上に形成され、圧電体層５の厚さ方向Ｄ１からの平面視において、第１音響インピーダンス層４Ａと少なくとも一部重複する。第２ＩＤＴ電極７Ｂは、圧電体層５上に形成され、厚さ方向Ｄ１からの平面視において、第２音響インピーダンス層４Ｂと少なくとも一部重複する。入力端子１５は、圧電体層５上に形成されている。出力端子１６は、圧電体層５上に形成されている。グラウンド端子１７、１８は、圧電体層５上に形成されている。直列腕回路１２は、入力端子１５と出力端子１６とを結ぶ第１経路上に設けられ、第１ＩＤＴ電極７Ａ及び第２ＩＤＴ電極７Ｂを有する。並列腕回路１３、１４は、第１経路上のノードとグラウンド端子１７、１８とを結ぶ第２経路上に設けられている。第１音響インピーダンス層４Ａ及び第２音響インピーダンス層４Ｂの各々は、高音響インピーダンス層４１と、高音響インピーダンス層４１よりも音響インピーダンスが低い低音響インピーダンス層４２と、を有する。第１音響インピーダンス層４Ａ及び第２音響インピーダンス層４Ｂの各々について、高音響インピーダンス層４１又は低音響インピーダンス層４２が導電層である。第１音響インピーダンス層４Ａにおける導電層と、第２音響インピーダンス層４Ｂにおける導電層とが、電気的に絶縁されている。ところで、厚さ方向Ｄ１において第１ＩＤＴ電極７Ａに対向する導電層と厚さ方向Ｄ１において第２ＩＤＴ電極７Ｂに対向する導電層とがつながっていると、入力端子１５と出力端子１６との間に不要な容量結合による容量が形成され（言い換えれば、不要な容量結合による容量が直列腕回路１２に並列接続され）、フィルタ特性における減衰量が低下してしまう。これに対して、実施形態１に係る弾性波フィルタ装置１では、例えば、図５に示す、比較例に係る弾性波フィルタ装置１００のように基板２の厚さ方向Ｄ１において第１ＩＤＴ電極７Ａと第２ＩＤＴ電極７Ｂとに重なる大きさの導電層（高音響インピーダンス層４１）を含む音響インピーダンス層４を備える場合と比べて、入力端子１５と出力端子１６との間において容量結合により発生する容量の容量値を低減でき、通過帯域外の減衰量の低下を抑制することが可能となる。
【００４８】
また、実施形態１に係る弾性波フィルタ装置１では、第１ＩＤＴ電極７Ａ、第２ＩＤＴ電極７Ｂ及び第３ＩＤＴ電極８の電極指ピッチである２×Ｔ１、２×Ｔ１及び２×Ｔ２１により定まる弾性波の波長をλとしたときに、圧電体層５の厚さが、１λ以下である。これにより、実施形態１に係る弾性波フィルタ装置１では、板波を励振することができる。
【００４９】
また、実施形態１に係る弾性波フィルタ装置１では、弾性波が板波である。これにより、実施形態１に係る弾性波フィルタ装置１では、板波を利用する弾性波フィルタ装置として使用することが可能となる。
【００５０】
（実施形態２）
以下、実施形態２に係る弾性波フィルタ装置１ａについて図６〜９に基づいて説明する。実施形態２に係る弾性波フィルタ装置１ａに関し、実施形態１に係る弾性波フィルタ装置１と同様の構成要素については、同一の符号を付して説明を適宜省略する。
【００５１】
実施形態２に係る弾性波フィルタ装置１ａは、図９に示すように、入力端子１５ａと、出力端子１６ａと、複数（２つ）のグラウンド端子１７ａ、１８ａと、複数（３つ）の直列腕共振子Ｓ１ａと、複数（２つ）の並列腕共振子Ｐ１ａと、を備えている。複数の直列腕共振子Ｓ１ａは、入力端子１５ａと出力端子１６ａとを結ぶ第１経路上に設けられた直列腕回路１２ａに含まれている。複数の並列腕共振子Ｐ１ａは、第１経路上のノードと２つのグラウンド端子１７ａ、１８ａとを結ぶ複数の第２経路上に設けられた複数の並列腕回路１３ａ、１４ａに含まれている。
【００５２】
弾性波フィルタ装置１ａでは、複数の直列腕共振子Ｓ１ａは、互いに直列に接続されている。以下では、説明の便宜上、３つの直列腕共振子Ｓ１ａを、入力端子１５ａに近い順に、直列腕共振子Ｓ１１ａ、直列腕共振子Ｓ１２ａ、直列腕共振子Ｓ１３ａと称することもある。また、２つの並列腕共振子Ｐ１ａを、入力端子１５ａに近い順に、並列腕共振子Ｐ１１ａ、並列腕共振子Ｐ１２ａと称する。並列腕共振子Ｐ１１ａの一端は、２つの直列腕共振子Ｓ１１ａ、Ｓ１２ａの接続点（第１経路上のノード）に接続されている。並列腕共振子Ｐ１１ａの他端は、グラウンド端子１７ａに接続されている。並列腕共振子Ｐ１２ａの一端は、２つの直列腕共振子Ｓ１２ａ、Ｓ１３ａの接続点（第１経路上のノード）に接続されている。並列腕共振子Ｐ１２ａの他端は、グラウンド端子１８ａに接続されている。
【００５３】
また、弾性波フィルタ装置１ａでは、入力端子１５ａと直列腕共振子Ｓ１１ａとの接続点と、並列腕共振子Ｐ１１ａとグラウンド端子１７ａとの接続点と、の間に第１キャパシタＣ１と第２キャパシタＣ２との直列回路が接続されている。
【００５４】
また、弾性波フィルタ装置１ａでは、直列腕共振子Ｓ１１ａ、１３ａ（図９参照）の各々が、図８Ａに示すように、第１ＩＤＴ電極７Ａの第１バスバー７１の長手方向に沿った方向において第１ＩＤＴ電極７Ａの一方側に配置されている反射器９１と、他方側に配置されている反射器９２と、を含んでいる。第１ＩＤＴ電極７Ａの第１バスバー７１の長手方向に沿った方向は、弾性波（本実施形態では、板波）の伝搬方向に沿った方向である。反射器９１及び９２は、グレーティング反射器である。反射器９１及び９２は、弾性波を反射する。図８Ａでは、第１ＩＤＴ電極７Ａ、反射器９１及び９２にドットのハッチングを付してあるが、このハッチングは、断面を表すものではなく、第１ＩＤＴ電極７Ａ、反射器９１及び９２と第１音響インピーダンス層４Ａとの関係を分かりやすくするために付してあるにすぎない。弾性波フィルタ装置１ａでは、第１音響インピーダンス層４Ａは、厚さ方向Ｄ１において第１ＩＤＴ電極７Ａだけでなく、第１ＩＤＴ電極７Ａの両側の反射器９１及び９２とも重複している。また、弾性波フィルタ装置１ａでは、直列腕共振子Ｓ１２ａ（図９参照）が、図８Ａに示すように、第２ＩＤＴ電極７Ｂの第１バスバー７１の長手方向に沿った方向において第２ＩＤＴ電極７Ｂの一方側に配置されている反射器９１と、他方側に配置されている反射器９２と、を含んでいる。第２ＩＤＴ電極７Ｂの第１バスバー７１の長手方向に沿った方向は、弾性波（本実施形態では、板波）の伝搬方向に沿った方向である。第２ＩＤＴ電極７Ｂの両側の反射器９１及び９２は、グレーティング反射器であり、弾性波を反射する。図８Ａでは、第２ＩＤＴ電極７Ｂ、反射器９１及び９２にドットのハッチングを付してあるが、このハッチングは、断面を表すものではなく、第２ＩＤＴ電極７Ｂ、反射器９１及び９２と第２音響インピーダンス層４Ｂとの関係を分かりやすくするために付してあるにすぎない。弾性波フィルタ装置１ａでは、第２音響インピーダンス層４Ｂは、厚さ方向Ｄ１において第２ＩＤＴ電極７Ｂだけでなく、第２ＩＤＴ電極７Ｂの両側の反射器９１及び９２とも重複している。
【００５５】
また、弾性波フィルタ装置１ａでは、複数の並列腕共振子Ｐ１ａの各々が図８Ｂに示すように、第３ＩＤＴ電極８の第１バスバー８１の長手方向に沿った方向において第３ＩＤＴ電極８の一方側に配置されている反射器９３と、他方側に配置されている反射器９４と、を含んでいる。第３ＩＤＴ電極８の第１バスバー８１の長手方向に沿った方向は、弾性波（本実施形態では、板波）の伝搬方向に沿った方向である。反射器９３及び９４は、グレーティング反射器である。反射器９３及び９４は、弾性波を反射する。図８Ｂでは、第３ＩＤＴ電極８、反射器９３及び９４にドットのハッチングを付してあるが、このハッチングは、断面を表すものではなく、第３ＩＤＴ電極８、反射器９３及び９４と第３音響インピーダンス層４０との関係を分かりやすくするために付してあるにすぎない。弾性波フィルタ装置１ａでは、第３音響インピーダンス層４０は、厚さ方向Ｄ１において第３ＩＤＴ電極８だけでなく、第３ＩＤＴ電極８の両側の反射器９３及び９４とも重複している。
【００５６】
弾性波フィルタ装置１ａは、図６及び７に示すように、第１電極２１と、第２電極２２と、を更に備える。
【００５７】
第１電極２１は、第１キャパシタＣ１形成用の電極であり、圧電体層５上に形成されている。第１電極２１は、複数の第１ＩＤＴ電極７Ａと第２ＩＤＴ電極７Ｂとのうち１つの第１ＩＤＴ電極７Ａの一対のバスバー７１、７２における入力端子１５ａ側のバスバー７１に電気的に接続されている。第１電極２１は、図６に示すように、基板２の厚さ方向Ｄ１（図７参照）からの平面視において直列腕共振子Ｓ１１ａに隣接している。第１電極２１は、直列腕共振子Ｓ１１ａの第１ＩＤＴ電極７Ａのバスバー７１とともに、直列腕回路１２ａにおいて同電位となる部分に接続されている。
【００５８】
第２電極２２は、第２キャパシタＣ２形成用の電極であり、圧電体層５上に形成されている。第２電極２２は、複数の第３ＩＤＴ電極８のうち１つの第３ＩＤＴ電極８の一対のバスバー８１、８２におけるグラウンド端子１７ａ側のバスバー８２に電気的に接続されている。第２電極２２は、図６に示すように、基板２の厚さ方向Ｄ１からの平面視において並列腕共振子Ｐ１１ａに隣接している。第２電極２２は、並列腕共振子Ｐ１１ａとともに、並列腕回路１３ａにおいて同電位となる部分に接続されている。
【００５９】
弾性波フィルタ装置１ａでは、中間層３は、音響インピーダンス層４００（以下、第４音響インピーダンス層４００ともいう）を更に有する。第４音響インピーダンス層４００は、基板２の厚さ方向Ｄ１において基板２と圧電体層５との間に介在している。第４音響インピーダンス層４００は、厚さ方向Ｄ１からの平面視で第１電極２１の少なくとも一部と第２電極２２の少なくとも一部とに重複する。第４音響インピーダンス層４００は、第１音響インピーダンス層４Ａ、第２音響インピーダンス層４Ｂ及び第３音響インピーダンス層４０と同一の積層構造を有している。したがって、第４音響インピーダンス層４００は、少なくとも１層（実施形態２では２層）の導電層（高音響インピーダンス層４１１、４１２）を含んでいる。弾性波フィルタ装置１ａでは、第１キャパシタＣ１が、第１電極２１と、第４音響インピーダンス層４００の高音響インピーダンス層４１２のうち第１電極２１に対向する第１部分４１２１と、圧電体層５のうち第１電極２１と高音響インピーダンス層４１２の第１部分４１２１との間に介在する部分とで構成されている。また、弾性波フィルタ装置１ａでは、第２キャパシタＣ２が、第２電極２２と、第４音響インピーダンス層４００の高音響インピーダンス層４１２のうち第２電極２２に対向する第２部分４１２２と、圧電体層５のうち第２電極２２と高音響インピーダンス層４１２の第２部分４１２２との間に介在する部分とで構成されている。また、第４音響インピーダンス層４００の高音響インピーダンス層４１２のうち第１部分４１２１と第２部分４１２２との間の第３部分４１２３が、第１キャパシタＣ１と第２キャパシタＣ２とを電気的に接続する配線を構成している。
【００６０】
実施形態２に係る弾性波フィルタ装置１ａでは、第１電極２１、第２電極２２及び第４音響インピーダンス層４００を備えることにより、第１キャパシタＣ１及び第２キャパシタＣ２を形成できるので、フィルタ特性の低下（減衰量の低下）をより抑制することが可能となる。また、実施形態２に係る弾性波フィルタ装置１ａでは、その設計に際して、第１電極２１及び第２電極２２それぞれの面積（第４音響インピーダンス層４００の導電層との対向面積）を決めることによって、第１キャパシタＣ１及び第２キャパシタＣ２それぞれの容量値を決めることが可能となる。
【００６１】
また、実施形態２に係る弾性波フィルタ装置１ａでは、第４音響インピーダンス層４００の第３部分４１２３が配線を構成しているので、配線を圧電体層５上に形成する場合に比べて、小型化を図ることが可能となる。
【００６２】
上記の実施形態１及び２は、本発明の様々な実施形態の一つに過ぎない。上記の実施形態１及び２は、本発明の目的を達成できれば、設計等に応じて種々の変更が可能である。
【００６３】
（変形例）
例えば、弾性波フィルタ装置１では、複数のグラウンド端子１７、１８を備え、複数のグラウンド端子１７、１８に複数の並列腕共振子Ｐ１が一対一で接続されているが、これに限らず、１つのグラウンド端子に複数の並列腕共振子Ｐ１が接続されていてもよい。つまり、グラウンド端子１７、１８は、１つのグラウンド端子として共通化されていてもよい。弾性波フィルタ装置１ａに関しても、同様に、グラウンド端子１７ａ，１８ａが１つのグラウンド端子として共通化されていてもよい。
【００６４】
また、基板２の材料は、Ｓｉに限らず、例えば、ＬｉＮｂＯ3、ＬｉＴａＯ3、水晶、ガラス等であってもよい。また、基板２の厚さ方向Ｄ１から見た基板２の平面視形状は、長方形状に限らず、例えば、正方形状であってもよい。
【００６５】
また、第１音響インピーダンス層４Ａ及び第２音響インピーダンス層４Ｂの各々における高音響インピーダンス層４１及び低音響インピーダンス層４２それぞれの数は、２つ及び３つに限らず、２つ以上及び３つ以上であってもよい。また、高音響インピーダンス層４１の数と低音響インピーダンス層４２の数とは異なる場合に限らず、同じであってもよいし、低音響インピーダンス層４２の数が高音響インピーダンス層４１の数よりも１つ少なくてもよい。また、第１音響インピーダンス層４Ａ及び第２音響インピーダンス層４Ｂの各々は、少なくとも１つの高音響インピーダンス層４１と少なくとも１つの低音響インピーダンス層４２とが基板２の厚さ方向Ｄ１において重複していればよい。
【００６６】
また、複数の高音響インピーダンス層４１の材料は、Ｐｔ（白金）に限らず、例えば、Ｗ（タングステン）等の金属でもよい。また、第１音響インピーダンス層４Ａ及び第２音響インピーダンス層４Ｂの各々は、高音響インピーダンス層４１が導電層である例に限らず、低音響インピーダンス層４２が導電層であってもよい。いずれにしても、第１音響インピーダンス層４Ａの導電層と第２音響インピーダンス層４Ｂの導電層とが電気的に絶縁されていればよい。また、弾性波フィルタ装置１のように第１音響インピーダンス層４Ａを複数備える場合、第１音響インピーダンス層４Ａの導電層どうしが電気的に絶縁されていればよい。また、実施形態２に係る弾性波フィルタ装置１ａの第３音響インピーダンス層４０ａ及び第４音響インピーダンス層４００についても第１音響インピーダンス層４Ａ及び第２音響インピーダンス層４Ｂと同様、高音響インピーダンス層４１が導電層である例に限らず、低音響インピーダンス層４２が導電層であってもよい。
【００６７】
また、複数の高音響インピーダンス層４１は、互いに同じ材料である場合に限らず、例えば、互いに異なる材料であってもよい。また、複数の低音響インピーダンス層４２は、互いに同じ材料である場合に限らず、例えば、互いに異なる材料であってもよい。
【００６８】
圧電体層５の材料は、ＬｉＮｂＯ3に限らず、例えば、ＬｉＴａＯ3等でもよい。
【００６９】
第１ＩＤＴ電極７Ａ、第２ＩＤＴ電極７Ｂ、第３ＩＤＴ電極８、反射器９１、９２、９３及び９４の材料は、Ａｌに限らず、Ａｌ合金でもよい。また、第１ＩＤＴ電極７Ａ第２ＩＤＴ電極７Ｂ、第３ＩＤＴ電極８、反射器９１、９２、９３及び９４の材料は、例えば、Ｃｕ、Ｐｔ、Ａｕ、Ａｇ、Ｔｉ、Ｎｉ、Ｃｒ、Ｍｏ、Ｗ又はこれらの金属のいずれかを主体とする合金等であってもよい。また、第１ＩＤＴ電極７Ａ、第２ＩＤＴ電極７Ｂ、第３ＩＤＴ電極８、反射器９１、９２、９３及び９４は、単層構造に限らず、多層構造であってもよい。
【００７０】
弾性波フィルタ装置１、１ａでは、厚さ方向Ｄ１からの平面視において第１ＩＤＴ電極７Ａの全域が第１音響インピーダンス層４Ａの導電層（高音響インピーダンス層４１）に重なっているが、これに限らず、厚さ方向Ｄ１からの平面視において第１ＩＤＴ電極７Ａのうち一部（例えば、規定領域１０）のみが導電層に重なっていてもよい。また、弾性波フィルタ装置１、１ａでは、厚さ方向Ｄ１からの平面視において第２ＩＤＴ電極７Ｂの全域が第２音響インピーダンス層４Ｂの導電層（高音響インピーダンス層４１）に重なっているが、これに限らず、厚さ方向Ｄ１からの平面視において第２ＩＤＴ電極７Ｂのうち一部（例えば、規定領域１０）のみが導電層に重なっていてもよい。
【００７１】
また、弾性波フィルタ装置１ａでは、第２キャパシタＣ２の第１キャパシタＣ１とは反対側の一端が並列腕共振子Ｐ１１ａ（の第３ＩＤＴ電極８の第２バスバー８２）とグラウンド端子１７ａとの接続点に接続されているが、これに限らない。例えば、第２キャパシタＣ２の第１キャパシタＣ１とは反対側の一端が並列腕共振子Ｐ１２ａ（の第３ＩＤＴ電極８の第２バスバー８２）とグラウンド端子１８ａとの接続点に接続されていてもよい。
【００７２】
また、弾性波フィルタ装置１ａでは、第４音響インピーダンス層４００が、直列腕共振子Ｓ１１ａの第１音響インピーダンス層４Ａ及び並列腕共振子Ｐ１１ａの第３音響インピーダンス層４０それぞれと離れているが、これに限らない。弾性波フィルタ装置１ａでは、例えば、第１キャパシタＣ１と第２キャパシタＣ２との直列回路の容量値を大きくしたい場合には、第４音響インピーダンス層４００が、直列腕共振子Ｓ１１ａの第１音響インピーダンス層４Ａ及び並列腕共振子Ｐ１１ａの第３音響インピーダンス層それぞれ若しくはどちらか一方とつながっていてもよい。
【００７３】
また、弾性波フィルタ装置１では、２つの並列腕回路１３、１４を備えているが、並列腕回路の数は、２つに限らず、例えば、１つであってもよいし、３つ以上であってもよい。弾性波フィルタ装置１ａに関しても、並列腕回路の数は、２つに限らず、例えば、１つであってもよいし、３つ以上であってもよい。また、並列腕回路は、並列腕共振子を有する構成に限らず、例えば、インダクタ、キャパシタ等を有する構成であってもよい。
【００７４】
（まとめ）
以上説明した実施形態等から以下の態様が開示されている。
【００７５】
第１の態様に係る弾性波フィルタ装置（１；１ａ）は、基板（２）と、第１音響インピーダンス層（４Ａ）及び第２音響インピーダンス層（４Ｂ）と、圧電体層（５）と、第１ＩＤＴ電極（７Ａ）と、第２ＩＤＴ電極（７Ｂ）と、入力端子（１５；１５ａ）と、出力端子（１６；１６ａ）と、グラウンド端子（１７、１８；１７ａ、１８ａ）と、直列腕回路（１２；１２ａ）と、並列腕回路（１３、１４；１３ａ、１４ａ）と、を備える。第１音響インピーダンス層（４Ａ）及び第２音響インピーダンス層（４Ｂ）は、基板（２）上に形成されている。圧電体層（５）は、第１音響インピーダンス層（４Ａ）及び第２音響インピーダンス層（４Ｂ）上に形成されている。第１ＩＤＴ電極（７Ａ）は、圧電体層（５）上に形成され、圧電体層（５）の厚さ方向（Ｄ１）からの平面視において、第１音響インピーダンス層（４Ａ）と少なくとも一部重複する。第２ＩＤＴ電極（７Ｂ）は、圧電体層（５）上に形成され、厚さ方向（Ｄ１）からの平面視において、第２音響インピーダンス層（４Ｂ）と少なくとも一部重複する。入力端子（１５；１５ａ）は、圧電体層（５）上に形成されている。出力端子（１６；１６ａ）は、圧電体層（５）上に形成されている。グラウンド端子（１７、１８；１７ａ、１８ａ）は、圧電体層（５）上に形成されている。直列腕回路（１２；１２ａ）は、入力端子（１５；１５ａ）と出力端子（１６；１６ａ）とを結ぶ第１経路上に設けられ、第１ＩＤＴ電極（７Ａ）及び第２ＩＤＴ電極（７Ｂ）を有する。並列腕回路（１３、１４；１３ａ、１４ａ）は、第１経路上のノードとグラウンド端子（１７、１８；１７ａ、１８ａ）とを結ぶ第２経路上に設けられている。第１音響インピーダンス層（４Ａ）及び第２音響インピーダンス層（４Ｂ）の各々は、少なくとも１つの高音響インピーダンス層（４１）と、少なくとも１つの高音響インピーダンス層（４１）よりも音響インピーダンスが低い少なくとも１つの低音響インピーダンス層（４２）と、を有する。第１音響インピーダンス層（４Ａ）及び第２音響インピーダンス層（４Ｂ）の各々について、少なくとも１つの高音響インピーダンス層（４１）及び少なくとも１つの低音響インピーダンス層（４２）の少なくとも１つが導電層である。第１音響インピーダンス層（４Ａ）における導電層と、第２音響インピーダンス層（４Ｂ）における導電層とが、電気的に絶縁されている。
【００７６】
第１の態様に係る弾性波フィルタ装置（１；１ａ）では、減衰量の低下を抑制することが可能となる。
【００７７】
第２の態様に係る弾性波フィルタ装置（１；１ａ）は、第１の態様において、少なくとも１つの高音響インピーダンス層（４１）は、複数の高音響インピーダンス層（４１）を含む。少なくとも１つの低音響インピーダンス層（４２）は、複数の低音響インピーダンス層（４２）を含む。複数の高音響インピーダンス層（４１）と複数の低音響インピーダンス層（４２）とが厚さ方向（Ｄ１）において一層ごとに交互に並んでいる。
【００７８】
第２の態様に係る弾性波フィルタ装置（１；１ａ）では、フィルタ特性の向上を図れる。
【００７９】
第３の態様に係る弾性波フィルタ装置（１ａ）は、第１又は２の態様において、並列腕回路（１３、１４；１３ａ、１４ａ）は、圧電体層（５）上に形成された第３ＩＤＴ電極（８）を有する。第１ＩＤＴ電極（７Ａ）、第２ＩＤＴ電極７Ｂ及び第３ＩＤＴ電極（８）の各々は、一対のバスバー（７１、７２，７１、７２及び８１、８２）を含む。弾性波フィルタ装置（１ａ）は、第１電極（２１）と、第２電極（２２）と、を更に備える。第１電極（２１）は、圧電体層（５）上に形成されている。第１電極（２１）は、第１ＩＤＴ電極（７Ａ）と第２ＩＤＴ電極（７Ｂ）とのうち１つの一対のバスバー（７１、７２）における入力端子（１５ａ）側のバスバー（７１）に電気的に接続されている。第２電極（２２）は、圧電体層（５）上に形成されている。第２電極（２２）は、複数の第３ＩＤＴ電極（８）のうち１つの第３ＩＤＴ電極（８）の一対のバスバー（８１、８２）におけるグラウンド端子（１７ａ）側のバスバー（８２）に電気的に接続されている。弾性波フィルタ装置（１ａ）は、音響インピーダンス層（４００）を更に有する。音響インピーダンス層（４００）は、基板（２）と圧電体層（５）との間において平面視で第１電極（２１）の少なくとも一部と第２電極（２２）の少なくとも一部とに重複する少なくとも一層の導電層を含む。
【００８０】
第３の態様に係る弾性波フィルタ装置（１ａ）では、減衰量の低下をより抑制することが可能となる。
【００８１】
第４の態様に係る弾性波フィルタ装置（１；１ａ）は、第３の態様において、第１ＩＤＴ電極（７Ａ）、第２ＩＤＴ電極（７Ｂ）及び第３ＩＤＴ電極（８）の電極指ピッチ（２×Ｔ１、２×Ｔ１及び２×Ｔ２１）により定まる弾性波の波長をλとしたときに、圧電体層（５）の厚さが、１λ以下である。
【００８２】
第４の態様に係る弾性波フィルタ装置（１；１ａ）では、板波を励振することができる。
【００８３】
第５の態様に係る弾性波フィルタ装置（１；１ａ）は、第４の態様において、弾性波が板波である。
【００８４】
第５の態様に係る弾性波フィルタ装置（１；１ａ）では、板波を利用する弾性波フィルタ装置として使用することが可能となる。
【符号の説明】
【００８５】
１、１ａ  弾性波フィルタ装置
１００  弾性波フィルタ装置
２  基板
２０１  第１主面
２０２  第２主面
３  中間層
３０  絶縁層
４Ａ  第１音響インピーダンス層
４Ｂ  第２音響インピーダンス層
４０  第３音響インピーダンス層
４００  音響インピーダンス層（第４音響インピーダンス層）
４１  高音響インピーダンス層（導電層）
４２  低音響インピーダンス層
４１２１  第１部分
４１２２  第２部分
４１２３  第３部分
５  圧電体層
７Ａ  第１ＩＤＴ電極
７Ｂ  第２ＩＤＴ電極
７１  バスバー（第１バスバー）
７２  バスバー（第２バスバー）
７３  電極指（第１電極指）
７４  電極指（第２電極指）
８  第３ＩＤＴ電極
８１  バスバー（第１バスバー）
８２  バスバー（第２バスバー）
８３  電極指（第１電極指）
８４  電極指（第２電極指）
１０  規定領域
１１  規定領域
１２、１２ａ  直列腕回路
１３、１３ａ  並列腕回路
１４、１３ａ  並列腕回路
１５、１５ａ  入力端子
１６、１６ａ  出力端子
１７、１７ａ  グラウンド端子
１８、１８ａ  グラウンド端子
２１  第１電極
２２  第２電極
９１、９３  反射器
９２、９４  反射器
Ｃ１  第１キャパシタ
Ｃ２  第２キャパシタ
Ｔ１、Ｔ２１  距離
Ｔ２、Ｔ２２  電極指幅
Ｄ１  厚さ方向
Ｓ１、Ｓ１ａ  直列腕共振子
Ｐ１、Ｐ１ａ  並列腕共振子
【図１】
2019065667.tif 000003
【図２】
2019065667.tif 000004
【図３】
2019065667.tif 000005
【図４】
2019065667.tif 000006
【図５】
2019065667.tif 000007
【図６】
2019065667.tif 000008
【図７】
2019065667.tif 000009
【図８】
2019065667.tif 000010
【図９】
2019065667.tif 000011
【国際調査報告】
2019065667.tif 000012
2019065667.tif 000013
2019065667.tif 000014